【手続補正書】
【提出日】平成18年8月14日(2006.8.14)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2002523498.tif 000001
｛式中、Ｒ1は、（１−６Ｃ）アルキル［場合により、ハロ、アミノ、（１−４Ｃ）アルキルアミノ、ジ−［（１−４Ｃ）アルキル］アミノ、ヒドロキシ、シアノ、（１−４Ｃ）アルコキシ、（１−４Ｃ）アルコキシカルボニル、カルバモイル、−ＮＨＣＯ（１−４Ｃ）アルキル、トリフルオロメチル、フェニルチオ、フェノキシ、ピリジル、モルホリノから独立して選ばれる１または２個の置換基により置換されている］、ベンジル、２−フェニルエチル、（３−５Ｃ）アルケニル［場合により、３個までのハロ置換基によって、または１個のトリフルオロメチル置換基もしくは１個のフェニル置換基により置換されている］、Ｎ−フタルイミド−（１−４Ｃ）アルキル、（３−５Ｃ）アルキニル［場合により、１個のフェニル置換基により置換されている］および（３−６Ｃ）シクロアルキル−（１−６Ｃ）アルキルから選ばれ、
その際、Ｒ1中のいずれかのフェニルまたはベンジル基は、場合によりハロゲノ、ヒドロキシ、ニトロ、アミノ、（１−３Ｃ）アルキルアミノ、ジ−[（１−３Ｃ）アルキル］アミノ、シアノ、トリフルオロメチル、（１−３Ｃ）アルキル［場合により、ハロゲノ、シアノ、アミノ、（１−３Ｃ）アルキルアミノ、ジ−［（１−３Ｃ）アルキル］アミノ、ヒドロキシおよびトリフルオロメチルから独立して選ばれる１または２個の置換基により置換されている］、（３−５Ｃ）アルケニル［場合により、３個までのハロ置換基によって、または１個のトリフルオロメチル置換基によって置換されている］、（３−５Ｃ）アルキニル、（１−３Ｃ）アルコキシ、−ＳＨ、−Ｓ−（１−３Ｃ）アルキル、カルボキシ、（１−３Ｃ）アルコキシカルボニルから選ばれる３個までの置換基により置換されており、
Ｑ1およびＱ2は、独立してフェニル、ナフチル、インダニルおよび１,２,３,４−テトラヒドロナフチルから選ばれ、
そしてＱ1およびＱ2の一方または両方は、任意の可能な炭素原子上で式(Ｉａ)の１個の置換基を有しており、そしてＱ2は、場合により任意の可能な炭素原子上で式（Ｉａ）
【化２】
2002523498.tif 000002
［但し、Ｑ1中に存在する時は、式（Ｉａ）の置換基は−ＮＨ−結合に隣接していない］
［式中、ＸはＣＨ2、Ｏ、Ｓ、ＮＨまたはＮＲｘ［ここで、Ｒｘは（１−４Ｃ）アルキルであり、場合によりハロ、アミノ、シアノ、（１−４Ｃ）アルコキシまたはヒドロキシから選ばれる１個の置換基により置換されている］であり、
Ｙは、Ｈであるか、またはＺについて定義した通りであり、
Ｚは、ＯＨ、ＳＨ、ＮＨ2、（１−４Ｃ）アルコキシ、（１−４Ｃ）アルキルチオ、−ＮＨ（１−４Ｃ）アルキル、−Ｎ［（１−４Ｃ）アルキル]2、−ＮＨ−（３−８Ｃ）シクロアルキル、ピロリジン−１−イル、ピペリジン−１−イル、ピペラジン−１−イル［場合により、４−位において、（１−４Ｃ）アルキルまたは（１−４Ｃ）アルカノイルにより置換されている］、モルホリノまたはチオモルホリノであり、
ｎは、１、２または３であり、ｍは、１、２または３である］のさらなる置換基を有することができ、
そしてＱ1およびＱ2は、それぞれ場合によりそして独立して任意の可能な炭素原子上で、ハロゲノ、ヒドロキシ、チオ、ニトロ、カルボキシ、シアノ、（２−４Ｃ）アルケニル［場合により、３個までのハロ置換基によって、または１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ（１−３Ｃ）アルキル、（１−４Ｃ）アルキルアミノ−（１−３Ｃ）アルキル、ジ−［（１−４Ｃ）アルキル］アミノ−（１−３Ｃ）アルキル、シアノ−（１−４Ｃ）アルキル、（２−４Ｃ）アルカノイルオキシ−（１−４Ｃ）−アルキル、（１−４Ｃ）アルコキシ−（１−３Ｃ）アルキル、カルボキシ−（１−４Ｃ）アルキル、（１−４Ｃ）アルコキシカルボニル−（１−４Ｃ）アルキル、カルバモイル−（１−４Ｃ）アルキル、Ｎ−（１−４Ｃ）アルキルカルバモイル−（１−４Ｃ）アルキル、Ｎ,Ｎ−ジ［（１−４Ｃ）アルキル］−カルバモイル−（１−４Ｃ）アルキル、ピロリジン−１−イル−（１−３Ｃ）アルキル、ピペリジン−１−イル−（１−３Ｃ）アルキル、ピペラジン−１−イル−（１−３Ｃ）アルキル、モルホリノ−（１−３Ｃ）アルキル、チオモルホリノ−（１−３Ｃ）アルキル、ピペラジン−１−イル、モルホリノ、チオモルホリノ、（１−４Ｃ）アルコキシ、シアノ−（１−４Ｃ）アルコキシ、カルバモイル−（１−４Ｃ）アルコキシ、Ｎ−（１−４Ｃ）アルキルカルバモイル−（１−４Ｃ）アルコキシ、Ｎ,Ｎ−ジ−［（１−４Ｃ）−アルキル］−カルバモイル−（１−４Ｃ）アルコキシ、２−アミノエトキシ、２−（１−４Ｃ）アルキルアミノエトキシ、２−ジ−［（１−４Ｃ）アルキル］アミノエトキシ、（１−４Ｃ）アルコキシカルボニル−（１−４Ｃ）アルコキシ、ハロゲノ−（１−４Ｃ）アルコキシ、２−ヒドロキシエトキシ、（２−４Ｃ）アルカノイルオキシ−（２−４Ｃ）アルコキシ、２−（１−４Ｃ）アルコキシエトキシ、カルボキシ−（１−４Ｃ）アルコキシ、（３−５Ｃ）アルケニルオキシ、（３−５Ｃ）アルキニルオキシ、（１−４Ｃ）アルキルチオ、（１−４Ｃ）アルキルスルフィニル、（１−４Ｃ）アルキルスルホニル、ヒドロキシ−（２−４Ｃ）アルキルチオ、ヒドロキシ−（２−４Ｃ）アルキルスルフィニル、ヒドロキシ−（２−４Ｃ）アルキルスルホニル、ウレイド（Ｈ2Ｎ−ＣＯ−ＮＨ−）、（１−４Ｃ）アルキルＮＨ−ＣＯ−ＮＨ−、ジ−［（１−４Ｃ）アルキル］Ｎ−ＣＯ−ＮＨ−、（１−４Ｃ）アルキルＮＨ−ＣＯ−Ｎ［（１−４Ｃ）アルキル］−、ジ−［（１−４Ｃ）アルキル］Ｎ−ＣＯ−Ｎ［（１−４Ｃ）アルキル］−、カルバモイル、Ｎ−［（１−４Ｃ）アルキル］カルバモイル、Ｎ,Ｎ−ジ−［（１−４Ｃ）アルキル］カルバモイル、アミノ、（１−４Ｃ）アルキルアミノ、ジ−［（１−４Ｃ）アルキル］アミノ、（２−４Ｃ）アルカノイルアミノから独立して選ばれる４個までの置換基を有することができ、
そしてまた、独立して、または上記の任意の置換基に加えて、Ｑ1および／またはＱ2は、場合により任意の可能な炭素原子上で、（３−８Ｃ）シクロアルキル、フェニル−（１−４Ｃ）アルキル、フェニル−（１−４Ｃ）アルコキシ、フェニルチオ、フェニル、ナフチル、ベンゾイル、フェノキシ、ベンズイミダゾール−２−イルおよび５または６−員の芳香族複素環（環炭素原子を通して結合しており、酸素、硫黄および窒素から独立して選ばれる１〜３個のヘテロ原子を含む）から独立して選ばれる２個までのさらなる置換基を有することができ、その際、前記ナフチル、フェニル、ベンゾイル、５−または６−員の芳香族複素環の置換基ならびに前記フェニル−（１−４Ｃ）アルキル、フェニルチオ、フェノキシおよびフェニル−（１−４Ｃ）アルコキシ置換基中のフェニル基は、場合によりハロゲノ、（１−４Ｃ）アルキルおよび（１−４Ｃ）アルコキシから独立して選ばれる５個までの置換基を有することができる｝のピリミジン誘導体またはその医薬上許容しうる塩もしくは生体内で加水分解可能なエステル。
【請求項２】  Ｒ1が、ベンジル［場合により、ハロゲノ、ヒドロキシ、ニトロ、アミノ、（１−３Ｃ）アルキルアミノ、ジ−［（１−３Ｃ）アルキル］アミノ、シアノ、トリフルオロメチル、(１−３Ｃ）アルキル、（１−３Ｃ）アルコキシ、−ＳＨ、Ｓ−(１−３Ｃ)アルキル、カルボキシおよび(１−３Ｃ）アルコキシカルボニルから独立して選ばれる３個までの置換基によって置換されている］、(３−５Ｃ)アルキニル、（３−６Ｃ）シクロアルキル−（１−６Ｃ）アルキル、（１−４Ｃ）アルキル［場合により、ヒドロキシ、アミノ、ハロ、トリフルオロメチルおよびシアノから独立して選ばれる１または２個の置換基によって置換されている］、または１〜３個のハロ基もしくは１個のフェニル置換基によって置換された（３−５Ｃ）アルケニルであり、
Ｑ1およびＱ2が、独立してフェニル、ナフチル、インダニルおよび１,２,３,４−テトラヒドロナフチルから選ばれ、
そしてＱ1およびＱ2の一方または両方が、任意の可能な炭素原子上で式(Ｉａ)の１個の置換基を有しており、そしてＱ2が、場合により任意の可能な炭素原子上で、式（Ｉａ）のさらなる置換基を有することができ［但し、Ｑ1中に存在する時は、式（Ｉａ）の置換基は−ＮＨ−結合に隣接していない］、
Ｘが、ＣＨ2、Ｏ、Ｓ、ＮＨまたはＮＲｘ［ここで、Ｒｘは、（１−４Ｃ）アルキルであり、場合によりハロ、アミノ、シアノ、（１−４Ｃ）アルコキシまたはヒドロキシから選ばれる１個の置換基により置換されている］であり、
Ｙが、ＨであるかまたはＺについて定義された通りであり、
Ｚが、ＯＨ、ＳＨ、ＮＨ2、（１−４Ｃ）アルコキシ、（１−４Ｃ）アルキルチオ、−ＮＨ（1−４Ｃ）アルキル、−Ｎ［（１−４Ｃ）アルキル]2、−ＮＨ−（３−８Ｃ）シクロアルキル、ピロリジン−１−イル、ピペリジン−１−イル、ピペラジン−１−イル［場合により４−位において、（１−４Ｃ）アルキルまたは（１−４Ｃ）アルカノイルにより置換されている］、モルホリノまたはチオモルホリノであり、
ｎが、１、２または３であり、ｍが、１、２または３であり、
そして、Ｑ1およびＱ2が、それぞれ場合によりそして独立して任意の可能な炭素原子上で、ハロゲノ、ヒドロキシ、チオ、ニトロ、カルボキシ、シアノ、（２−４Ｃ）アルケニル［場合により、３個までのハロ置換基によってまたは１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ−（１−３Ｃ）アルキル、（１−４Ｃ）アルキルアミノ−（１−３Ｃ）アルキル、ジ−［（１−４Ｃ）アルキル］アミノ−（１−３Ｃ）アルキル、シアノ−（１−４Ｃ）アルキル、（２−４Ｃ）アルカノイルオキシ−（１−４Ｃ）−アルキル、（１−４Ｃ）アルコキシ−（１−３Ｃ）アルキル、カルボキシ−（１−４Ｃ）アルキル、（１−４Ｃ）アルコキシカルボニル−（１−４Ｃ）アルキル、カルバモイル−（１−４Ｃ）アルキル、Ｎ−（１−４Ｃ）アルキルカルバモイル−（１−４Ｃ）アルキル、Ｎ,Ｎ−ジ［（１−４Ｃ）アルキル］−カルバモイル−（１−４Ｃ）アルキル、ピロリジン−１−イル−（１−３Ｃ）アルキル、ピペリジン−１−イル−（１−３Ｃ）アルキル、ピペラジン−１−イル−（１−３Ｃ）アルキル、モルホリノ−（１−３Ｃ）アルキル、チオモルホリノ−（１−３Ｃ）アルキル、ピペラジン−１−イル、モルホリノ、チオモルホリノ、（１−４Ｃ）アルコキシ、シアノ−（１−４Ｃ）アルコキシ、カルバモイル−（１−４Ｃ）アルコキシ、Ｎ−（１−４Ｃ）アルキルカルバモイル−（１−４Ｃ）アルコキシ、Ｎ,Ｎ−ジ−［（１−４Ｃ）アルキル］−カルバモイル−（１−４Ｃ）アルコキシ、２−アミノエトキシ、２−（１−４Ｃ）アルキルアミノエトキシ、２−ジ−［（１−４Ｃ）アルキル］アミノエトキシ、（１−４Ｃ）アルコキシカルボニル−（１−４Ｃ）アルコキシ、ハロゲノ−（１−４Ｃ）アルコキシ、２−ヒドロキシエトキシ、（２−４Ｃ）アルカノイルオキシ−（２−４Ｃ）アルコキシ、２−（１−４Ｃ）アルコキシエトキシ、カルボキシ−（１−４Ｃ）アルコキシ、（３−５Ｃ）アルケニルオキシ、（３−５Ｃ）アルキニルオキシ、（１−４Ｃ）アルキルチオ、（１−４Ｃ）アルキルスルフィニル、（１−４Ｃ）アルキルスルホニル、ヒドロキシ−（２−４Ｃ）アルキルチオ、ヒドロキシ−（２−４Ｃ）アルキルスルフィニル、ヒドロキシ−（２−４Ｃ）アルキルスルホニル、ウレイド（Ｈ2Ｎ−ＣＯ−ＮＨ−）、（１−４Ｃ）アルキルＮＨ−ＣＯ−ＮＨ−、ジ−［（１−４Ｃ）アルキル］Ｎ−ＣＯ−ＮＨ−、（１−４Ｃ）アルキルＮＨ−ＣＯ−Ｎ［（１−４Ｃ）アルキル］−、ジ−［（１−４Ｃ）アルキル］Ｎ−ＣＯ−Ｎ［（１−４Ｃ）アルキル］−、カルバモイル、Ｎ−［（１−４Ｃ）アルキル］カルバモイル、Ｎ,Ｎ−ジ−［（１−４Ｃ）アルキル］カルバモイル、アミノ、（１−４Ｃ）アルキルアミノ、ジ−［（１−４Ｃ）アルキル］アミノ、（２−４Ｃ）アルカノイルアミノから独立して選ばれる４個までの置換基を有することができ、
そしてまた、独立して、または上記の任意の置換基に加えて、Ｑ1および／またはＱ2が、場合により任意の可能な炭素原子上で、（３−８Ｃ）シクロアルキル、フェニル−（１−４Ｃ）アルキル、フェニル−（１−４Ｃ）アルコキシ、フェニルチオ、フェニル、ナフチル、ベンゾイル、フェノキシ、ベンズイミダゾール−２−イルおよび５−または６−員の芳香族複素環（環炭素原子を通して結合しており、そして酸素、硫黄および窒素から独立して選ばれる１〜３個のヘテロ原子を含む）から独立して選ばれる２個までのさらなる置換基を有することができ、その際、前記ナフチル、フェニル、ベンゾイル、５−または６−員の芳香族複素環の置換基ならびに前記フェニル−（１−４Ｃ）アルキル、フェニルチオ、フェノキシおよびフェニル−（１−４Ｃ）アルコキシ置換基の中のフェニル基は、場合によりハロゲノ、（１−４Ｃ）アルキルおよび（１−４Ｃ）アルコキシから独立して選ばれる５個までの置換基を有することができる、請求項１に記載の式（Ｉ）のピリミジン誘導体、またはその医薬上許容しうる塩もしくは生体内で加水分解可能なエステル。
【請求項３】  Ｒ1が、ベンジル［場合により、１個の（１−３Ｃ）アルコキシ置換基によって置換されている］、（３−５Ｃ）アルキニル、（３−６Ｃ）シクロアルキル−（１−６Ｃ）アルキル、（１−４Ｃ）アルキル［場合により、ヒドロキシ、アミノ、ハロ、トリフルオロメチルおよびシアノから独立して選ばれる１または２個の置換基により置換されている］、または１〜３個のハロ基もしくは１個のフェニル置換基によって置換された（３−５Ｃ）アルケニルであり、
Ｑ1およびＱ2が、独立してフェニルまたはインダニルから選ばれ、
そしてＱ1およびＱ2の一方または両方が、任意の可能な炭素原子上で式(Ｉａ)の１個の置換基を有しており、そしてＱ2が、場合により任意の可能な炭素原子上で、式（Ｉａ）のさらなる置換基を有することができ［但し、Ｑ1中に存在する時は、式（Ｉａ）の置換基は−ＮＨ−結合に隣接していない］、
Ｘが、ＣＨ2、Ｏ、Ｓ、ＮＨまたはＮＲｘ［ここで、Ｒｘは（１−４Ｃ）アルキルであり、場合によりハロ、アミノ、シアノ、（1−４Ｃ）アルコキシまたはヒドロキシから選ばれる１個の置換基により置換されている］であり、
Ｙが、Ｈであるか、またはＺについて定義された通りであり、
Ｚが、ＯＨ、ＳＨ、ＮＨ2、（１−４Ｃ）アルコキシ、（１−４Ｃ）アルキルチオ、−
ＮＨ（１−４Ｃ）アルキル、−Ｎ［（１−４Ｃ）アルキル]2、−ＮＨ−（３−８Ｃ）シクロアルキル、ピロリジン−１−イル、ピペリジン−１−イル、ピペラジン−１−イル[場合により４−位において、（１−４Ｃ）アルキルまたは（１−４Ｃ）アルカノイルにより置換されている］、モルホリノまたはチオモルホリノであり、
ｎが、１、２または３であり、ｍが、１、２または３であり、
そしてＱ1が、場合により任意の可能な炭素原子上で、ハロゲノ、チオ、ニトロ、カルボキシ、シアノ、（２−４Ｃ）アルケニル［場合により、３個までのハロ置換基によって、または１個のトリフルオロメチル置換基により置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ、（１−４Ｃ）アルキルアミノ、ジ−［（１−４Ｃ）アルキル］アミノ、（２−４Ｃ）アルカノイルアミノから独立して選ばれる４個までの置換基を有することができ、
そして、Ｑ2が、場合により、任意の可能な炭素原子上でハロゲノ、ヒドロキシ、チオ、ニトロ、カルボキシ、シアノ、（２−４Ｃ）アルケニル［場合により、３個までのハロ置換基によって、または１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ、（１−４Ｃ）アルキルアミノ、ジ−［（１−４Ｃ）アルキル］アミノ、（２−４Ｃ）アルカノイルアミノから独立して選ばれる４個までの置換基を有することができ、
そしてまた、独立して、または上記の任意の置換基に加えて、Ｑ2が、場合により任意の可能な炭素原子上でフェニルチオ、フェニル、フェノキシおよびベンズイミダゾール−２−イルから独立して選ばれる２個までのさらなる置換基を有することができる、請求項１または２に記載の式（Ｉ）のピリミジン誘導体、またはその医薬上許容しうる塩もしくは生体内で加水分解可能なエステル。
【請求項４】  Ｒ1が、ベンジル［場合により、１個の（１−３Ｃ）アルコキシ置換基によって置換されている］、（３−５Ｃ）アルキニル、（３−６Ｃ）シクロアルキル−（１−６Ｃ）アルキル、（１−４Ｃ）アルキル［場合により、ヒドロキシ、アミノ、ハロ、トリフルオロメチルおよびシアノから独立して選ばれる１または２個の置換基により置換されている］または１〜３個のハロ基もしくは１個のフェニル置換基によって置換された（３−５Ｃ）アルケニルであり、
Ｑ1およびＱ2が、独立してフェニルまたはインダン−５−イルから選ばれ、
そしてＱ1およびＱ2の一方または両方が、任意の可能な炭素原子上で式(Ｉａ)の１個の置換基を有しており、そしてＱ2が場合により任意の可能な炭素原子上で式（Ｉａ）のさらなる置換基を有することができ［但し、Ｑ1中に存在する時は、式（Ｉａ）の置換基は−ＮＨ−結合に隣接していない］、
ＸがＯであり、ＹがＨまたはＯＨであり、そしてＺが−ＮＨ（１−４Ｃ）アルキル、−Ｎ［（１−４Ｃ）アルキル]2、−ＮＨ−（３−８Ｃ）シクロアルキル、ピロリジン−１−イルまたはピペラジン−１−イル［場合により４−位において、（１−４Ｃ）アルキルまたは（１−４Ｃ）アルカノイルにより置換されている］であり、ｎが１または２であり、そして、ｍが１または２であり、
そしてＱ1が、場合により任意の可能な炭素原子上で、ハロゲノ、チオ、ニトロ、カルボキシ、シアノ、（２−４Ｃ）アルケニル［場合により、３個までのハロ置換基によって、または１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ、（１−４Ｃ）アルキルアミノ、ジ−［（１−４Ｃ）アルキル］アミノ、（２−４Ｃ）アルカノイルアミノから独立して選ばれる４個までの置換基を有することができ、
そしてＱ2が、場合により任意の可能な炭素原子上でハロゲノ、ヒドロキシ、チオ、ニトロ、カルボキシ、シアノ、（２−４Ｃ）アルケニル［場合により、３個までのハロ置換
基によって、または１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ、（１−４Ｃ）アルキルアミノ、ジ−［（１−４Ｃ）アルキル］アミノ、（２−４Ｃ）アルカノイルアミノから独立して選ばれる４個までの置換基を有することができ、
そしてまた、独立して、または上記の任意の置換基に加えて、Ｑ2が、場合により任意の可能な炭素原子上でフェニルチオ、フェニル、フェノキシおよびベンズイミダゾール−２−イルから独立して選ばれる２個までのさらなる置換基を有することができる、請求項１〜３のいずれか一項に記載の式（Ｉ）のピリミジン誘導体またはその医薬上許容しうる塩もしくは生体内で加水分解可能なエステル。
【請求項５】  Ｒ1が、シアノメチル、−ＣＨ2ＣＨ＝ＣＨＢｒ、−ＣＨ2ＣＨ2ＣＨ2ＣＦ3または−ＣＨ2ＣＨ＝ＣＨ−フェニルであり、
Ｑ1およびＱ2が、独立してフェニルまたはインダン−５−イルから選ばれ、
そしてＱ1およびＱ2の一方または両方が、任意の可能な炭素原子上で式(Ｉａ)の１個の置換基を有し、そしてＱ2が、場合により任意の可能な炭素原子上で式（Ｉａ）のさらなる置換基を有することができ［但し、Ｑ1中に存在する時は、式（Ｉａ）の置換基は、−ＮＨ−結合に隣接していない］、
ＸがＯであり、ＹがＨまたはＯＨであり、そしてＺが−ＮＨ（１−４Ｃ）アルキル、−Ｎ［（１−４Ｃ）アルキル]2、−ＮＨ−（３−８Ｃ）シクロアルキル、ピロリジン−１−イルまたはピペラジン−１−イル［場合により４−位において、（１−４Ｃ）アルキルまたは（１−４Ｃ）アルカノイルにより置換されている］であり、ｎが１または２であり、そしてｍが１または２であり、
そしてＱ1および／またはＱ2が、独立して、そして場合により任意の可能な炭素原子上でハロゲノ、ヒドロキシ、チオ、ニトロ、カルボキシ、シアノ、（２−４Ｃ）アルケニル［場合により、３個までのハロ置換基によって、または１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ、（１−４Ｃ）アルキルアミノ、ジ−［（１−４Ｃ）アルキル］アミノ、（２−４Ｃ）アルカノイルアミノから独立して選ばれる４個までの置換基を有することができ、
そしてまた、独立して、または上記の任意の置換基に加えて、Ｑ1および／またはＱ2が、場合により任意の可能な炭素原子上でフェニルチオ、フェニル、フェノキシおよびベンズイミダゾール−２−イルから独立して選ばれる２個までのさらなる置換基を有することができる、請求項１〜４のいずれか一項に記載の式（Ｉ）のピリミジン誘導体またはその医薬上許容しうる塩もしくは生体内で加水分解可能なエステル。
【請求項６】  Ｒ1が、シアノメチル、−ＣＨ2ＣＨ＝ＣＨＢｒ、−ＣＨ2ＣＨ2ＣＨ2ＣＦ3または−ＣＨ2ＣＨ＝ＣＨ−フェニルであり、
Ｑ1およびＱ2が、いずれもフェニルであり、
Ｑ1が任意の可能な炭素原子上で式（Ｉａ）の１個の置換基を有しており［但し、式（Ｉａ）の置換基は−ＮＨ−結合に隣接していない］、
ＸがＯであり、ＹがＨまたはＯＨであり、そして、Ｚが−ＮＨ（１−４Ｃ）アルキルまたは−Ｎ［（１−４Ｃ）アルキル]2であり、ｎが１または２であり、そしてｍが１または２であり、
そしてＱ1および／またはＱ2が、独立して、そして場合により任意の可能な炭素原子上でハロゲノ、ヒドロキシ、チオ、ニトロ、カルボキシ、シアノ、（２−４Ｃ）アルケニル［場合により、３個までのハロ置換基によって、または１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ、（１−４Ｃ）アルキルアミノ、ジ−［
（１−４Ｃ）アルキル］アミノ、（２−４Ｃ）アルカノイルアミノから独立して選ばれた４個までの置換基を有することができ、
そしてまた、独立して、または上記の任意の置換基に加えて、Ｑ1および／またはＱ2が、場合により任意の可能な炭素原子上でフェニルチオ、フェニル、フェノキシおよびベンズイミダゾール−２−イルから独立して選ばれる２個までの置換基を有することができる、請求項１〜５のいずれか一項に記載の式（Ｉ）のピリミジン誘導体またはその医薬上許容しうる塩もしくは生体内で加水分解可能なエステル。
【請求項７】  Ｒ1が、シアノメチル、−ＣＨ2ＣＨ＝ＣＨＢｒ、−ＣＨ2ＣＨ2ＣＨ2ＣＦ3または−ＣＨ2ＣＨ＝ＣＨ−フェニルであり、
Ｑ1およびＱ2が、いずれもフェニルであり、
Ｑ1が任意の可能な炭素原子上で式（Ｉａ）の１個の置換基を有しており［但し、式（Ｉａ）の置換基は−ＮＨ−結合に隣接していない］、
ＸがＯであり、ＹがＯＨであり、そして、Ｚが−ＮＨ（１−４Ｃ）アルキルまたは−Ｎ［（１−４Ｃ）アルキル]2であり、ｎが１または２であり、そしてｍが１または２であり、そしてＱ2が、場合により任意の可能な炭素原子上でハロゲノ、ヒドロキシ、チオ、ニトロ、カルボキシ、シアノ、（２−４Ｃ）アルケニル［場合により、３個までのハロ置換基によって、または１個のトリフルオロメチル置換基によって置換されている］、（２−４Ｃ）アルキニル、（１−５Ｃ）アルカノイル、（１−４Ｃ）アルコキシカルボニル、（１−６Ｃ）アルキル、ヒドロキシ−（１−６Ｃ）アルキル、フルオロ−（１−４Ｃ）アルキル、アミノ、（１−４Ｃ）アルキルアミノ、ジ−［（１−４Ｃ）アルキル］アミノ、（２−４Ｃ）アルカノイルアミノから独立して選ばれる２個までの置換基を有することができる、請求項１〜６のいずれか一項に記載の式（Ｉ）のピリミジン誘導体またはその医薬上許容しうる塩もしくは生体内で加水分解可能なエステル。
【請求項８】  ４−｛４−［３−（Ｎ,Ｎ−ジメチル）アミノ−２−ヒドロキシ−プロポキシ］アニリノ｝−６−（Ｎ−シアノメチル−２−ブロモ−４−メチルアニリノ）ピリミジン、
４−｛４−［３−（Ｎ,Ｎ−ジメチル）アミノ−２−ヒドロキシ−プロポキシ]アニリノ｝−６−（Ｎ−シアノメチル−２−クロロ−５−メチルアニリノ）ピリミジン、
４−｛４−［３−（Ｎ,Ｎ−ジメチル）アミノ−２−ヒドロキシ−プロポキシ]アニリノ｝−６−（Ｎ−シアノメチル−２,５−ジクロロアニリノ）ピリミジン、
４−｛４−［３−（Ｎ,Ｎ−ジメチル）アミノ−２−ヒドロキシ−プロポキシ]アニリノ｝−６−（Ｎ−（４,４,４−トリフルオロブチル）−２,５−ジクロロアニリノ）ピリミジン、
４−｛４−［３−（Ｎ,Ｎ−ジメチル）アミノ−２−ヒドロキシ−プロポキシ]アニリノ｝−６−（Ｎ−（３−フェニルプロパ−２−エニル）−２,４−ジフルオロアニリノ）ピリミジン、
４−｛４−［３−（Ｎ,Ｎ−ジメチル）アミノ−２−ヒドロキシ−プロポキシ]アニリノ｝−６−（Ｎ−（３−フェニルプロパ−２−エニル）−２−クロロ−４−メチルアニリノ）ピリミジン
である請求項１に記載の式（Ｉ）のピリミジン誘導体、またはその医薬上許容しうる塩もしくは生体内で加水分解可能なエステル。
【請求項９】  ａ）〜ｉ）：
ａ) 式（II）：
【化３】
2002523498.tif 000003
(式中、Ｌは、下記に定義の置換可能な基である）のピリミジンを、式(III):
【化４】
2002523498.tif 000004
の化合物と反応させる：
ｂ) 式（IV）：
【化５】
2002523498.tif 000005
（式中、Ｌは、下記に定義の置換可能な基である）のピリミジンを、式(Ｖ):
【化６】
2002523498.tif 000006
の化合物と反応させる：
ｃ) 式（VI）：
【化７】
2002523498.tif 000007
のピリミジンを、式（VII）
Ｒ1−Ｌ                   (VII)
（式中、Ｌは、下記に定義の置換可能な基である）の化合物と反応させる：
ｄ) 式（Ｉ）（式中、ｎが、１、２または３であり、ｍ＝１およびＹがＯＨ、ＮＨ2またはＳＨである）の化合物については、式（VIII）：
【化８】
2002523498.tif 000008
（式中、ＡはＯ、ＳまたはＮＨである)の３−員のヘテロアルキル環を、式(IX):
Ｚ−Ｄ                    (IX)
（式中、Ｄは、Ｈまたは適切な対イオンである）の求核試薬と反応させる；
ｅ) 式（Ｉ）（式中、Ｘは酸素である）の化合物については、式（Ｘ）：
【化９】
2002523498.tif 000009
のアルコールを式（XI）：
【化１０】
2002523498.tif 000010
のアルコールと反応させる；
ｆ) 式（Ｉ）（式中、ＸがＣＨ2、Ｏ、ＮＨまたはＳであり、ＹがＯＨであり、そしてｍが２または３である）の化合物については、式（XII）：
【化１１】
2002523498.tif 000011
（式中、−ＯＬｇは、脱離基、例えばメシラートまたはトシラートである）の化合物を、式Ｚ−Ｄ（IX）（式中、ＤはＨまたは適切な対イオンである）の求核試薬と反応させる；ｇ) 式（Ｉ）（式中、Ｘは、ＣＨ2、Ｏ、ＮＨまたはＳであり、ＹはＨであり、ｎは１、２または３であり、そしてｍは１、２または３である）の化合物については、式（XIII）：
【化１２】
2002523498.tif 000012
（式中、−ＯＬｇは脱離基、例えばメシラートまたはトシラートである）の化合物を、式Ｚ−Ｄ（IX）（式中、ＤはＨまたは適切な対イオンである）の求核試薬と反応させる；
ｈ) 式（Ｉ）（式中、Ｘは、Ｏ、ＮＨまたはＳであり、ＹはＨであり、ｎは、１、２または３であり、そしてｍは１、２または３である）の化合物については、式（XIV）の化合物を式（XV）：
【化１３】
2002523498.tif 000013
の化合物と反応させる：または
ｉ) ＺがＳＨである式（Ｉ）の化合物については、
対応する化合物中でチオアセテート基を転化し、その後で必要なら：
(i) 式（Ｉ）の化合物を式（Ｉ）の別の化合物に転化する；
(ii) すべての保護基を除去する；
(iii) 医薬上許容しうる塩または生体内で加水分解可能なエステルを形成する；(ここで、Ｌは置換可能な基であり、そしてＤは水素または対イオンである）
からなる請求項１に記載の式（Ｉ）の化合物の製造法。
【請求項１０】  医薬として使用するための請求項１〜８のいずれか一項に記載の式（Ｉ）の化合物またはその医薬上許容しうる塩もしくは生体内で加水分解可能なエステル。
【請求項１１】  温血動物での抗癌効果を得るために用いる医薬の製造における請求項１〜８のいずれか一項に記載の式（Ｉ）の化合物またはその医薬上許容しうる塩、もしくは生体内で加水分解可能なエステルの使用。
【請求項１２】  請求項１〜８のいずれか一項に記載の式（Ｉ）の化合物、またはその医薬上許容しうる塩もしくは生体内で加水分解可能なエステル、および医薬上許容しうる希釈剤または担体を含む医薬組成物。